(57)【要約】      （修正有）【課題】２つの位置で嵌合方向を変更できるコネクタを有するバッテリ接続モジュールの提供。【解決手段】載置トレイ１と、複数の母線２と、回路ユニット３とを備え、載置トレイ１は、２つの対向する側に位置付けられた第１縁部１１１及び第２縁部１１２と、２つの端縁部１１３とを有するバッテリ接続モジュール。回路ユニット３は、フレキシブル回路片４と、コネクタ５と、を備え、フレキシブル回路片４は、本体と、本体から延出する取付バーと、を有し、取付バーは、本体から延出する接続部と、接続部から延出する屈曲部と、屈曲部の遠位端に接続されたコネクタ取付部と、を有し、コネクタはコネクタ取付部上に設けられ、嵌合端を有するバッテリ接続モジュール。屈曲部は、嵌合端が異なる方向に面する位置にコネクタ５を位置付けることができるように機能するバッテリ接続モジュール。【選択図】図１
2019050200.tif 000002
【特許請求の範囲】
【請求項１】
バッテリパックを接続するのに適合したバッテリ接続モジュールであって、該バッテリ接続モジュールが、
前記バッテリパック上に設けられるのに適合し、２つの対向する側に位置付けられる第１縁部及び第２縁部と、該第１縁部及び第２縁部の２つの端部をそれぞれ接続する２つの端縁部と、を有する、載置トレイと、
該載置トレイ上に設けられ、前記バッテリパックを電気的に接続するのに適合している、複数の母線と、
フレキシブル回路片と、コネクタと、を備える回路ユニットであって、前記フレキシブル回路片が、各母線に機械的かつ電気的に接続され、本体と、該本体から延出する取付バーと、を有し、該取付バーが、前記載置トレイの端縁部の一方に対応する位置において前記本体から延出する接続部と、該接続部から延出する少なくとも１つの屈曲部と、を有し、該少なくとも１つの屈曲部の遠位端がコネクタ取付部からなり、前記コネクタが前記コネクタ取付部上に設けられ、嵌合コネクタと嵌合するのに適合している嵌合端を有し、前記屈曲部は、前記嵌合端が異なる方向に面する位置に前記コネクタを位置付けることができるように機能する、回路ユニットと、を備える、バッテリ接続モジュール。
【請求項２】
前記屈曲部は、前記嵌合端が前記第１縁部に面する第１位置に前記コネクタを位置付けることができるように機能し、前記屈曲部が、前記嵌合端が前記第２縁部に面する第２位置に前記コネクタを位置付けることができるように機能する、請求項１に記載のバッテリ接続モジュール。
【請求項３】
前記取付バーが２つの屈曲部を有し、該２つの屈曲部が、前記第１縁部及び第２縁部にそれぞれ対応する、前記接続部の両側からそれぞれ延出し、
前記２つの屈曲部が、前記第１縁部に近接する前記屈曲部が少なくとも２つの屈曲を形成でき、前記第２縁部に近接する前記屈曲部が少なくとも１つの屈曲を形成できるように機能して、前記コネクタを前記第１位置に位置付けることができ、
前記２つの屈曲部が、前記第１縁部に近接する前記屈曲部が少なくとも１つの屈曲を形成でき、前記第２縁部に近接する前記屈曲部が少なくとも２つの屈曲を形成できるように機能して、前記コネクタを前記第２位置に位置付けることができる、請求項２に記載のバッテリ接続モジュール。
【請求項４】
前記取付バーが１つの屈曲部を有し、該屈曲部が前記接続部の下端から延出し、
前記屈曲部が、前記第１縁部に向かって屈曲して少なくとも１つの屈曲を形成するように機能して、前記コネクタを前記第１位置に位置付けることができ、
前記屈曲部が、前記第２縁部に向かって屈曲して少なくとも１つの屈曲を形成するように機能して、前記コネクタを前記第２位置に位置付けることができる、請求項２に記載のバッテリ接続モジュール。
【請求項５】
前記屈曲部が、前記第１縁部に向かって４５度の角度で屈曲して１つの屈曲を形成するように機能して、前記コネクタを前記第１位置に位置付けることができ、
前記屈曲部が、前記第２縁部に向かって４５度の角度で屈曲して１つの屈曲を形成するように機能して、前記コネクタを前記第２位置に位置付けることができる、請求項４に記載のバッテリ接続モジュール。
【請求項６】
前記コネクタ取付部が、前記屈曲部と接続している第１取付部、該第１取付部と横並びに配置された第２取付部、及び前記第１取付部と前記第２取付部との間に屈曲して接続された接続部によって形成される、請求項５に記載のバッテリ接続モジュール。
【請求項７】
前記取付バーが１つの屈曲部を有し、該屈曲部が、前記第１縁部に対応する前記接続部の側から側方に延出し、
前記屈曲部が少なくとも２つの屈曲を形成するように機能して、前記コネクタを前記第１位置に位置付けることができ、
前記屈曲部が少なくとも１つの屈曲を形成するように機能して、前記コネクタを前記第２位置に位置付けることができる、請求項２に記載のバッテリ接続モジュール。
【請求項８】
前記コネクタ取付部が、前記屈曲部と接続している第１取付部、該第１取付部と横並びに配置された第２取付部、及び前記第１取付部と前記第２取付部との間に屈曲して接続された接続部によって形成される、請求項７に記載のバッテリ接続モジュール。
【請求項９】
前記屈曲部の遠位端が層状であって、互いに横並びに配置された２つのコネクタ取付部を形成する、請求項７に記載のバッテリ接続モジュール。
【請求項１０】
前記取付バーが１つの屈曲部を有し、該屈曲部が、前記第２縁部に対応する前記接続部の側から側方に延出し、
前記屈曲部が少なくとも１つの屈曲を形成するように機能して、前記コネクタを前記第１位置に位置付けることができ、
前記屈曲部が方向転換せずに屈曲して、前記コネクタを前記第２位置に位置付けることができる、請求項２に記載のバッテリ接続モジュール。
【請求項１１】
前記屈曲部が、前記第１縁部に向かって１回方向転換し、前記載置トレイに対して前記接続部の外側を通るように機能して、前記コネクタを前記第１位置に位置付けることができる、請求項１０に記載のバッテリ接続モジュール。
【請求項１２】
前記屈曲部が、前記第１縁部に向かって１回方向転換し、前記載置トレイに対して前記接続部の内側を通るように機能して、前記コネクタを前記第１位置に位置付けることができる、請求項１０に記載のバッテリ接続モジュール。
【請求項１３】
前記コネクタ取付部が、前記屈曲部と接続している第１取付部、該第１取付部と横並びに配置された第２取付部、及び前記第１取付部と前記第２取付部との間に屈曲して接続された接続部によって形成される、請求項１０に記載のバッテリ接続モジュール。
【請求項１４】
前記接続部が切欠部を有し、
前記取付バーが２つの屈曲部を有し、該２つの屈曲部が、それぞれ前記第１縁部及び第２縁部に対応する前記接続部の両側から前記載置トレイに対して前記接続部の内側に向かってそれぞれ屈曲し、次いで、向かい合わせに延在し、次いで、前記載置トレイに対して前記接続部の外側に向かって屈曲し、結合し、前記切欠部を通り抜け、
前記２つの屈曲部の結合領域が少なくとも１つの屈曲を形成するように機能して、前記コネクタを前記第１位置に位置付けることができ、
前記２つの屈曲部の結合領域が少なくとも１つの屈曲を形成するように機能して、前記コネクタを前記第２位置に位置付けることができる、請求項２に記載のバッテリ接続モジュール。
【請求項１５】
前記２つの屈曲部が、前記結合領域の遠位端において更に分離して、２つのコネクタ取付部を形成する、請求項１４に記載のバッテリ接続モジュール。
【請求項１６】
前記取付バーが２つの屈曲部を有し、該２つの屈曲部が互いから離間し、前記第１縁部に対応する前記接続部の同じ側から延出し、前記接続部が１つの屈曲を形成して、前記２つの屈曲部が横並びに向かい合い、
該２つの屈曲部のそれぞれが少なくとも２つの屈曲を形成するように機能して、前記コネクタを前記第１位置に位置付けることができ、
前記２つの屈曲部のそれぞれが少なくとも１つの屈曲を形成するように機能して、前記コネクタを前記第２位置に位置付けることができる、請求項２に記載のバッテリ接続モジュール。
【請求項１７】
前記取付バーが２つの屈曲部を有し、前記接続部が延在方向に沿って２つの部分に分割され、前記２つの屈曲部が、前記接続部の２つの部分の遠位端からそれぞれ延出し、前記第１縁部に近接する、前記２つの屈曲部の一方が第１屈曲部と定義され、前記第２縁部に近接する、前記２つの屈曲部の他方が第２屈曲部と定義され、
前記第１屈曲部が少なくとも１つの屈曲を形成するように機能し、前記第２屈曲部が少なくとも１つの屈曲を形成するように機能して、前記コネクタを前記第１位置に位置付けることができ、
前記第１屈曲部が少なくとも１つの屈曲を形成するように機能し、前記第２屈曲部が少なくとも１つの屈曲を形成するように機能して、前記コネクタを前記第２位置に位置付けることができる、請求項２に記載のバッテリ接続モジュール。
【請求項１８】
前記コネクタが、絶縁ハウジングと、該絶縁ハウジングに設けられた複数の端子と、を備え、該複数の端子が前記取付バーのコネクタ取付部に接続され、前記コネクタが、前記絶縁ハウジングを外装する外側ケーシングを更に備える、請求項１に記載のバッテリ接続モジュール。
【請求項１９】
前記載置トレイが、前記コネクタ及び取付バーを収容するための座体を更に有する、請求項１〜１７のいずれか１項に記載のバッテリ接続モジュール。
【請求項２０】
前記座体が、前記コネクタを前記第１位置に位置付けることができるように前記第１縁部を向いた第１側方開口部と、前記コネクタを前記第２位置に位置付けることができるように前記第２縁部を向いた第２側方開口部と、を有する、請求項１９に記載のバッテリ接続モジュール。
【請求項２１】
前記コネクタが絶縁ハウジングを備え、前記コネクタの絶縁ハウジングが第１ラッチ構造を有し、
前記座体が前記第１ラッチ構造と掛止し、前記第１ラッチ構造で固定するための第２ラッチ構造を有する、請求項２０に記載のバッテリ接続モジュール。
【請求項２２】
前記絶縁ハウジングが下面を更に有し、前記第１ラッチ構造が下面に形成され、
前記座体が、前記載置トレイの端縁部から下方に延出する接続壁と、該接続壁から離間し、該接続壁と向かい合う位置制限壁と、前記接続壁の下縁部と前記位置制限壁の下縁部との間に接続された底壁と、を更に有し、前記第２ラッチ構造が前記底壁に形成される、請求項２１に記載のバッテリ接続モジュール。
【請求項２３】
前記第２ラッチ構造が、互いから離間した２つの突出レールによって形成され、該２つの突出レールのそれぞれが、前記載置トレイの端縁部と平行に延在するリブ部と、他方の突出レールから離れる方向に向かって前記リブ部から延出し、前記底壁から離間した上止め部と、前記他方の突出レールに向かって前記リブ部から延出するラッチブロックと、を有し、前記２つの突出レールのラッチブロックの一方が前記第１縁部に近接して、前記コネクタが前記第１位置に位置付けられるときに前記コネクタが掛止でき、前記２つの突出レールのラッチブロックの他方が前記第２縁部に近接して、前記コネクタが前記第２位置に位置付けられるときに前記コネクタが掛止でき、
前記第１ラッチ構造が、互いから平行に離間した２つのスライドレール及び該２つのスライドレールの間に位置付けられたフック部によって形成されて、協調して前記ラッチブロックの一方と掛止し、前記２つのスライドレールの対向する側のそれぞれには一端に近接した位置制限溝が形成されて、前記対応する突出レールの上止め部を協調して収容する、請求項２２に記載のバッテリ接続モジュール。
【請求項２４】
前記バッテリ接続モジュールが上カバーを更に備え、該上カバーが、前記載置トレイを被覆するメインカバーと、該メインカバーに接続され、前記座体を被覆するサイドカバーと、を有する、請求項２２に記載のバッテリ接続モジュール。
【請求項２５】
前記サイドカバーが少なくとも１つのラッチフックを有し、前記座体の位置制限壁には少なくとも１つのラッチ孔が形成されて、前記少なくとも１つのラッチフックがそれと掛止できる、請求項２４に記載のバッテリ接続モジュール。
【請求項２６】
前記コネクタが絶縁ハウジングを備え、前記コネクタの絶縁ハウジングが下面を有し、該下面が、前記バッテリパックの筐体の側壁上面に形成される第２ラッチ構造と掛止し、該第２ラッチ構造で固定するための第１ラッチ構造を有する、請求項１〜１７のいずれか１項に記載のバッテリ接続モジュール。
【請求項２７】
前記第２ラッチ構造が、互いから離間した２つの突出レールによって形成され、該２つの突出レールのそれぞれが、前記載置トレイの端縁部と平行に延在するリブ部と、前記他方の突出レールから離れる方向に向かって前記リブ部から延出し、前記側壁上面から離間した上止め部と、前記他方の突出レールに向かって前記リブ部から延出するラッチブロックと、を有し、前記２つの突出レールのラッチブロックの一方が前記第１縁部に近接して、前記コネクタが前記第１位置に位置付けられるときに前記コネクタが掛止でき、前記２つの突出レールのラッチブロックの他方が前記第２縁部に近接して、前記コネクタが前記第２位置に位置付けられるときに前記コネクタが掛止でき、
前記第１ラッチ構造が、互いから平行に離間した２つのスライドレール及び前記２つのスライドレールの間に位置付けられたフック部によって形成されて、協調して前記ラッチブロックの一方と掛止し、前記２つのスライドレールの対向する側のそれぞれには一端に近接した位置制限溝が形成されて、前記対応する突出レールの上止め部を協調して収容する、請求項２６に記載のバッテリ接続モジュール。
【請求項２８】
前記バッテリ接続モジュールが上カバーを更に備え、該上カバーが、前記載置トレイを被覆するメインカバーと、該メインカバーに接続されたサイドカバーと、を有し、該サイドカバーが、前記コネクタの後端に接続された前記取付バーを少なくとも被覆する、請求項２７に記載のバッテリ接続モジュール。
【請求項２９】
前記載置トレイが、前記複数の母線をそれぞれ収容する複数の取付溝を有し、各取付溝が底壁及び溝側壁によって画定され、該溝側壁が、前記取付溝内へと突出する位置合わせキーを備え、各母線が、前記対応する取付溝内の位置合わせキーと協調する位置合わせ切欠部を有する、請求項１〜１７のいずれか１項に記載のバッテリ接続モジュール。
【請求項３０】
各溝側壁が、向かい合う第１側壁部及び第２側壁部を有し、前記位置合わせキーが前記第１側壁部に設けられ、該第１側壁部が少なくとも１つのラッチフックを更に備え、前記第２側壁部が、第１高さに位置付けられた複数の下止めブロックと、第２高さに位置付けられた複数の上止めブロックと、を備え、前記母線の片側が、前記複数の上止めブロックと前記複数の下止めブロックとの間に位置付けられ、前記第２高さと前記第１高さとの高低差が前記母線の厚さよりも大きく、前記溝底壁が複数の支持ブロックを備え、該複数の支持ブロックの上端が前記複数の下止めブロックの上端と同じ高さを有し、前記複数の下止めブロック及び複数の支持ブロックが協調して前記母線を支持し、前記複数の上止めブロック及び少なくとも１つのラッチフックが協調して前記母線の位置を制限する、請求項２９に記載のバッテリ接続モジュール。
【発明の詳細な説明】
【技術分野】
【０００１】
本開示はバッテリ接続モジュールに関し、具体的には、高出力を得るために再充電可能バッテリを直列に接続するために使用されるバッテリ接続モジュールに関する。
【背景技術】
【０００２】
車両用バッテリなど複数の再充電可能な電気化学的バッテリが横並びに配置されて、一般にバッテリパックを形成するバッテリシステムは、一般にバッテリ接続モジュールによってバッテリを直列に接続して一対の出力電極を形成し、バッテリ接続モジュールはまた、バッテリ管理システム（略してＢＭＳ）を接続するための制御回路を備える。
【０００３】
例えば、中国公開特許第１０５１４４４６３Ａ号（米国特許出願公開第２０１６／００４３４４６号に相当）は、モニタリングユニットを備える電気化学的デバイス用バッテリ接触システムを開示し、このモニタリングユニットは、別のバッテリ接触システムのモニタリングユニット又は中央モニタリングデバイスに接続線を接続するための信号端子コネクタを備える。信号端子コネクタはプリント回路基板上で固定され、一定の嵌合方向からのケーブルコネクタのみと嵌合できる。信号端子コネクタの嵌合方向の変更が所望される場合、プリント回路基板、載置アセンブリ、及びカバーアセンブリは、再製作を要する。次に、信号端子コネクタはカバーアセンブリによってのみ被覆され、信号端子コネクタを十分に固定するための構造は存在しない。したがって、信号端子コネクタが挿入される、又は引き出されると、信号端子コネクタは容易に損傷し、プリント回路基板が引き出されて、プリント回路基板又はプリント回路基板との接続構成を損傷することさえあり得る。
【発明の概要】
【課題を解決するための手段】
【０００４】
そのため、本開示の目的の１つは、２つの位置で嵌合方向を変更できるコネクタを有するバッテリ接続モジュールを提供することである。
【０００５】
そのため、本開示の別の目的は、固定構成によって固定されるコネクタを有するバッテリ接続モジュールを提供することである。
【０００６】
したがって、いくつかの実施形態では、本開示のバッテリ接続モジュールは、バッテリパックを接続するのに適し、このバッテリ接続モジュールは、載置トレイと、複数の母線と、回路ユニットと、を備える。載置トレイは、バッテリパック上に設けられるのに適し、２つの対向する側に位置付けられる第１縁部及び第２縁部と、第１縁部及び第２縁部の２つの端部をそれぞれ接続する２つの端縁部と、を有する。複数の母線は載置トレイ上に設けられ、バッテリパックを電気的に接続するのに適している。回路ユニットは、フレキシブル回路片と、コネクタと、を備え、フレキシブル回路片は、各母線に機械的かつ電気的に接続され、本体と、本体から延出する取付バーと、を有し、取付バーは、載置トレイの端縁部の一方に対応する位置において本体から延出する接続部と、接続部から延出する少なくとも１つの屈曲部と、を有し、少なくとも１つの屈曲部の遠位端はコネクタ取付部からなり、コネクタはコネクタ取付部上に設けられ、嵌合コネクタと嵌合するのに適した嵌合端を有し、屈曲部は、嵌合端が異なる方向に面する位置にコネクタを位置付けることができるように機能する。
【０００７】
いくつかの実施形態では、屈曲部は、嵌合端が第１縁部に面する第１位置にコネクタを位置付けることができるように機能し、屈曲部は、嵌合端が第２縁部に面する第２位置にコネクタを位置付けることができるように機能する。
【０００８】
いくつかの実施形態では、取付バーは２つの屈曲部を有し、２つの屈曲部は、それぞれ第１縁部及び第２縁部に対応する接続部の両側からそれぞれ延出し、２つの屈曲部は、第１縁部に近接する屈曲部が少なくとも２つの屈曲を形成でき、第２縁部に近接する屈曲部が少なくとも１つの屈曲を形成できるように機能して、コネクタを第１位置に位置付けることができ、２つの屈曲部は、第１縁部に近接する屈曲部が少なくとも１つの屈曲を形成でき、第２縁部に近接する屈曲部が少なくとも２つの屈曲を形成できるように機能して、コネクタを第２位置に位置付けることができる。
【０００９】
いくつかの実施形態では、取付バーは１つの屈曲部を有し、屈曲部は接続部の下端から延出し、屈曲部は、第１縁部に向かって屈曲して少なくとも１つの屈曲を形成するように機能して、コネクタを第１位置に位置付けることができ、屈曲部は、第２縁部に向かって屈曲して少なくとも１つの屈曲を形成するように機能して、コネクタを第２位置に位置付けることができる。
【００１０】
いくつかの実施形態では、屈曲部は、第１縁部に向かって４５度の角度で屈曲して１つの屈曲を形成するように機能して、コネクタを第１位置に位置付けることができ、屈曲部は、第２縁部に向かって４５度の角度で屈曲して１つの屈曲を形成するように機能して、コネクタを第２位置に位置付けることができる。
【００１１】
いくつかの実施形態では、コネクタ取付部は、屈曲部と接続している第１取付部、第１取付部と横並びに配置された第２取付部、及び第１取付部と第２取付部との間に屈曲して接続された接続部によって形成される。
【００１２】
いくつかの実施形態では、取付バーは１つの屈曲部を有し、屈曲部は、第１縁部に対応する接続部の側から側方に延出し、屈曲部は、少なくとも２つの屈曲を形成するように機能して、コネクタを第１位置に位置付けることができ、屈曲部は、少なくとも１つの屈曲を形成するように機能して、コネクタを第２位置に位置付けることができる。
【００１３】
いくつかの実施形態では、コネクタ取付部は、屈曲部と接続している第１取付部、第１取付部と横並びに配置された第２取付部、及び第１取付部と第２取付部との間に屈曲して接続された接続部によって形成される。
【００１４】
いくつかの実施形態では、屈曲部の遠位端は層状であって、互いに横並びに配置された、２つのコネクタ取付部を形成する。
【００１５】
いくつかの実施形態では、取付バーは１つの屈曲部を有し、屈曲部は、第２縁部に対応する接続部の側から側方に延出し、屈曲部は、少なくとも１つの屈曲を形成するように機能して、コネクタを第１位置に位置付けることができ、屈曲部は方向転換せずに屈曲して、コネクタを第２位置に位置付けることができる。
【００１６】
いくつかの実施形態では、屈曲部は、第１縁部に向かって１回方向転換し、載置トレイに対して接続部の外側を通るように機能して、コネクタを第１位置に位置付けることができる。
【００１７】
いくつかの実施形態では、屈曲部は、第１縁部に向かって１回方向転換し、載置トレイに対して接続部の内側を通るように機能して、コネクタを第１位置に位置付けることができる。
【００１８】
いくつかの実施形態では、コネクタ取付部は、屈曲部と接続している第１取付部、第１取付部と横並びに配置された第２取付部、及び第１取付部と第２取付部との間に屈曲して接続された接続部によって形成される。
【００１９】
いくつかの実施形態では、接続部は切欠部を有し、取付バーは２つの屈曲部を有し、２つの屈曲部は、それぞれ第１縁部及び第２縁部に対応する接続部の両側から載置トレイに対して接続部の内側に向かってそれぞれ屈曲し、次いで、向かい合わせに延在し、次いで、載置トレイに対して接続部の外側に向かって屈曲し、結合し、切欠部を通り抜け、２つの屈曲部の結合領域は、少なくとも１つの屈曲を形成するように機能して、コネクタを第１位置に位置付けることができ、２つの屈曲部の結合領域は、少なくとも１つの屈曲を形成するように機能して、コネクタを第２位置に位置付けることができる。
【００２０】
いくつかの実施形態では、２つの屈曲部は、結合領域の遠位端において更に分離して、２つのコネクタ取付部を形成する。
【００２１】
いくつかの実施形態では、取付バーは２つの屈曲部を有し、２つの屈曲部は互いから離間し、第１縁部に対応する接続部の同じ側から延出し、接続部は、１つの屈曲を形成して、２つの屈曲部が横並びに向かい合い、２つの屈曲部のそれぞれは、少なくとも２つの屈曲を形成するように機能して、コネクタを第１位置に位置付けることができ、２つの屈曲部のそれぞれは、少なくとも１つの屈曲を形成するように機能して、コネクタを第２位置に位置付けることができる。
【００２２】
いくつかの実施形態では、取付バーは２つの屈曲部を有し、接続部は、延在方向に沿って２つの部分に分割され、２つの屈曲部は、接続部の２つの部分の遠位端からそれぞれ延出し、第１縁部に近接する２つの屈曲部の一方は、第１屈曲部と定義され、第２縁部に近接する２つの屈曲部の他方は、第２屈曲部と定義され、第１屈曲部は、少なくとも１つの屈曲を形成するように機能し、第２屈曲部は少なくとも１つの屈曲を形成するように機能して、コネクタを第１位置に位置付けることができ、第１屈曲部は、少なくとも１つの屈曲を形成するように機能し、第２屈曲部は少なくとも１つの屈曲を形成するように機能して、コネクタを第２位置に位置付けることができる。
【００２３】
いくつかの実施形態では、コネクタは、絶縁ハウジングと、絶縁ハウジングに設けられた複数の端子と、を備え、複数の端子は、取付バーのコネクタ取付部に接続され、コネクタは、絶縁ハウジングを外装する外側ケーシングを更に備える。
【００２４】
いくつかの実施形態では、載置トレイは、コネクタ及び取付バーを収容するための座体を更に有する。
【００２５】
いくつかの実施形態では、座体は、コネクタを第１位置に位置付けることができるように第１縁部を向いた第１側方開口部と、コネクタを第２位置に位置付けることができるように第２縁部を向いた第２側方開口部と、を有する。
【００２６】
いくつかの実施形態では、コネクタは絶縁ハウジングを備え、コネクタの絶縁ハウジングは第１ラッチ構造を有し、座体は、第１ラッチ構造と掛止し、第１ラッチ構造で固定するための第２ラッチ構造を有する。
【００２７】
いくつかの実施形態では、絶縁ハウジングは下面を更に有し、第１ラッチ構造は下面に形成され、座体は、載置トレイの端縁部から下方に延出する接続壁と、接続壁から離間し、接続壁と向かい合う位置制限壁と、接続壁の下縁部と位置制限壁の下縁部との間に接続された底壁と、を更に有し、第２ラッチ構造は底壁に形成される。
【００２８】
いくつかの実施形態では、第２ラッチ構造は、互いから離間した２つの突出レールによって形成され、２つの突出レールのそれぞれは、載置トレイの端縁部と平行に延在するリブ部と、他方の突出レールから離れる方向に向かってリブ部から延出し、底壁から離間した上止め部と、他方の突出レールに向かってリブ部から延出するラッチブロックと、を有し、２つの突出レールのラッチブロックの一方は第１縁部に近接して、コネクタが第１位置に位置付けられるときにコネクタが掛止でき、２つの突出レールのラッチブロックの他方は第２縁部に近接して、コネクタが第２位置に位置付けられるときにコネクタが掛止でき、第１ラッチ構造は、互いから平行に離間した２つのスライドレール及び２つのスライドレールの間に位置付けられたフック部によって形成されて、ラッチブロックの一方と協調して掛止し、２つのスライドレールの対向する側のそれぞれには、一端に近接した位置制限溝が形成されて、対応する突出レールの上止め部を協調して収容する。
【００２９】
いくつかの実施形態では、バッテリ接続モジュールは上カバーを更に備え、上カバーは、載置トレイを被覆するメインカバーと、メインカバーに接続され、座体を被覆するサイドカバーと、を有する。
【００３０】
いくつかの実施形態では、サイドカバーは、少なくとも１つのラッチフックを有し、座体の位置制限壁には少なくとも１つのラッチ孔が形成されて、少なくとも１つのラッチフックがこれと掛止できる。
【００３１】
いくつかの実施形態では、コネクタは絶縁ハウジングを備え、コネクタの絶縁ハウジングは下面を有し、下面は、バッテリパックの筐体の側壁上面に形成される第２ラッチ構造と掛止し、第２ラッチ構造で固定するための第１ラッチ構造を有する。
【００３２】
いくつかの実施形態では、第２ラッチ構造は、互いから離間した２つの突出レールによって形成され、各突出レールは、載置トレイの端縁部と平行に延在するリブ部と、他方の突出レールから離れる方向に向かってリブ部１２６１から延出し、側壁上面から離間した上止め部と、他方の突出レールに向かってリブ部から延出するラッチブロックと、を有し、２つの突出レールのラッチブロックの一方は第１縁部に近接して、コネクタが第１位置に位置付けられるときにコネクタが掛止でき、２つの突出レールのラッチブロックの他方は第２縁部に近接して、コネクタが第２位置に位置付けられるときにコネクタが掛止でき、第１ラッチ構造は、互いから平行に離間した２つのスライドレール及び２つのスライドレールの間に位置付けられたフック部によって形成されて、ラッチブロックの一方と協調して掛止し、２つのスライドレールの対向する側のそれぞれには、一端に近接した位置制限溝が形成されて、対応する突出レールの上止め部を協調して収容する。
【００３３】
いくつかの実施形態では、バッテリ接続モジュールは上カバーを更に備え、上カバーは、載置トレイを被覆するメインカバーと、メインカバーに接続されたサイドカバーと、を有し、サイドカバーは、コネクタの後端に接続された取付バーを少なくとも被覆する。
【００３４】
いくつかの実施形態では、載置トレイは、複数の母線をそれぞれ収容する複数の取付溝を有し、各取付溝は、底壁及び溝側壁によって画定され、溝側壁は、取付溝内へと突出する位置合わせキーを備え、各母線は、対応する取付溝内の位置合わせキーと協調する位置合わせ切欠部を有する。
【００３５】
いくつかの実施形態では、各溝側壁は、向かい合う第１側壁部及び第２側壁部を有し、位置合わせキーは第１側壁部に設けられ、第１側壁部は、少なくとも１つのラッチフックを更に備え、第２側壁部は、第１高さに位置付けられた複数の下止めブロックと、第２高さに位置付けられた複数の上止めブロックと、を備え、母線の片側は、複数の上止めブロックと複数の下止めブロックとの間に位置付けられ、第２高さと第１高さとの高低差は、母線の厚さよりも大きく、溝底壁は、複数の支持ブロックを備え、複数の支持ブロックの上端は、複数の下止めブロックの上端と同じ高さを有し、複数の下止めブロック及び複数の支持ブロックは協調して母線を支持し、複数の上止めブロック及び少なくとも１つのラッチフックは協調して母線の位置を制限する。
【００３６】
本開示は、少なくとも以下の効果を有する：フレキシブル回路片の取付バーは、操作者が、コネクタを第１位置に位置付けるか、第１位置と反対側の第２位置に位置付けるかを柔軟に選択して使用条件を満たすことができるように機能する屈曲部を有するため、異なる位置にあるコネクタ用の金型を別個に製造する費用及び製品を保管する費用を節約することができる。
【００３７】
更に、コネクタは、第１ラッチ構造及び第２ラッチ構造が互いに掛止されることによって載置トレイの一端に固定され得、したがって、バッテリ接続モジュール全体の構成はより小型であり、その統合性はより良好であり、嵌合コネクタのコネクタとの嵌合を促進し、コネクタの挿入時又は引き出し時にフレキシブル回路片が引き出されるため、フレキシブル回路片への損傷を回避できる。
【００３８】
更に、上カバーのサイドカバーが取付バー及び取付バーとコネクタとの接続を少なくとも被覆することによって、取付バー及び取付バーとコネクタとの接続が損傷から保護され得る。
【図面の簡単な説明】
【００３９】
本開示の他の特徴及び効果は、図面を参照しながら、実施形態から明らかになるであろう。
【００４０】
【図１】本開示のバッテリ接続モジュール及びバッテリパックの第１実施形態の分解斜視図である。
【図２】第１実施形態の折り畳まれていないフレキシブル回路片及び端子の斜視図である。
【図３】第１位置における、第１実施形態のバッテリ接続モジュール及びコネクタの分解斜視図である。
【図４】第１位置において組み付けられた、第１実施形態のバッテリ接続モジュール及びコネクタの斜視図である。
【図５】第２位置における、第１実施形態のバッテリ接続モジュール及びコネクタの分解斜視図である。
【図６】第２位置において組み付けられた、第１実施形態のバッテリ接続モジュール及びコネクタの斜視図である。
【図７】第１実施形態のフレキシブル回路片及びコネクタの底面斜視図である。
【図８】第１実施形態の載置トレイの座体の斜視図である。
【図９】上カバーの組み付け前の第１実施形態のバッテリ接続モジュールの分解斜視図である。
【図１０】上カバーの組み付け後の第１実施形態のバッテリ接続モジュールの斜視図である。
【図１１】本開示のバッテリ接続モジュール及びバッテリパックの筐体の側壁の第２実施形態の斜視概略図である。
【図１２】第２実施形態及びバッテリパックの筐体の側壁の分解斜視概略図である。
【図１３】図１２の一部の領域の拡大図である。
【図１４】本開示のバッテリ接続モジュールの第３実施形態の分解斜視概略図である。
【図１５】バッテリ接続モジュールの第３実施形態の組み付け斜視図であり、コネクタが第１位置にあることを示す。
【図１６】バッテリ接続モジュールの第３実施形態の組み付け斜視図であり、コネクタが第２位置にあることを示す。
【図１７】本開示のバッテリ接続モジュールの第４実施形態の斜視概略図である。
【図１８】第４実施形態の斜視図であり、コネクタが第１位置にあることを示す。
【図１９】第４実施形態の斜視図であり、コネクタが第２位置にあることを示す。
【図２０】本開示のバッテリ接続モジュールの第５実施形態の分解斜視概略図である。
【図２１】第５実施形態の斜視図であり、コネクタが第１位置にあることを示す。
【図２２】第５実施形態の斜視図であり、コネクタが第２位置にあることを示す。
【図２３】本開示のバッテリ接続モジュールの第６実施形態の分解斜視概略図である。
【図２４】第６実施形態の斜視図であり、コネクタが第１位置にあることを示す。
【図２５】第６実施形態の斜視図であり、コネクタが第２位置にあることを示す。
【図２６】本開示のバッテリ接続モジュールの第７実施形態の分解斜視概略図である。
【図２７】第７実施形態のフレキシブル回路片及び端子の斜視概略図であり、組み付け前のフレキシブル回路片の取付バーの展開状態を示す。
【図２８】第７実施形態の斜視図であり、コネクタが第２位置にあることを示す。
【図２９】第７実施形態の斜視図であり、コネクタが第１位置にあることを示す。
【図３０】本開示のバッテリ接続モジュールの第８実施形態の分解斜視概略図である。
【図３１】第８実施形態の斜視概略図であり、コネクタが第２位置にあることを示す。
【図３２】第８実施形態の斜視概略図であり、コネクタが第１位置にあることを示す。
【図３３】本開示の接続モジュールバッテリの第９実施形態の斜視図であり、コネクタが第１位置にあることを示す。
【図３４】第９実施形態の斜視図であり、コネクタが第２位置にあることを示す。
【図３５】本開示のバッテリ接続モジュールの第１０実施形態の斜視図である。
【図３６】第１０実施形態の不完全な分解斜視図であり、コネクタが第１位置にあるときのフレキシブル回路片の取付バーの屈曲状態を示す。
【図３７】第１０実施形態の不完全な分解斜視図であり、コネクタが第２位置にあるときのフレキシブル回路片の取付バーの屈曲状態を示す。
【図３８】第１０実施形態のフレキシブル回路片の展開概略図である。
【図３９】第１０実施形態の分解斜視図であり、母線及び載置トレイの組み付け関係を示す。
【図４０】別角度から見た図３９に対応する図である。
【図４１】本開示のバッテリ接続モジュールの第１１実施形態の斜視図である。
【図４２】第１１実施形態の不完全な分解斜視図であり、コネクタが第１位置にあるときのフレキシブル回路片の取付バーの屈曲状態を示す。
【図４３】第１１実施形態の不完全な分解斜視図であり、コネクタが第２位置にあるときのフレキシブル回路片の取付バーの屈曲状態を示す。
【図４４】フレキシブル回路片の第１１実施形態の展開概略図である。
【符号の説明】
【００４１】
参照番号は、以下のように表されている。
【００４２】
１  載置トレイ
１１１  第１縁部
１１２  第２縁部
１１３  端縁部
１２  座体
１２１  第１側方開口部
１２２  第２側方開口部
１２３  接続壁
１２４  位置制限壁
１２４ａ  ラッチ孔
１２５  底壁
１２６  第２ラッチ構造
１２６ａ  突出レール
１２６１  リブ部
１２６２  上止め部
１２６３  ラッチブロック
１３  取付溝
１３１  溝底壁
１３１ａ  中空部
１３２  溝側壁
１３２ａ  第１側壁部
１３２ｂ  第２側壁部
１４  位置合わせキー
１５  ラッチフック
１６  下止めブロック
１７  上止めブロック
１８  支持ブロック
２  母線
２１  位置合わせ切欠部
３  回路ユニット
４  フレキシブル回路片
４１  本体
４２  取付バー
４２１  接続部
４２１ａ  基底部
４２１ｂ  延出部
４２１ｃ  切欠部
４２２、４２２’  屈曲部
４２２ａ  屈曲部
４２２ｂ  屈曲部
４２３  コネクタ取付部
４２３ａ  第１取付部
４２３ｂ  第２取付部
４２３ｃ  接続部
４２３ｄ  取付部
４３  導電板
５  コネクタ
５１  絶縁ハウジング
５１１ａ  嵌合面
５１１ｂ  後端面
５１２  下面
５１３  第１ラッチ構造
５１３ａ  スライドレール
５１３ｂ  フック部
５１３ｃ  位置制限溝
５２  端子
５２１  テール部
５２２  接触部
５３  外側ケーシング
５４  絶縁体
６  上カバー
６１  メインカバー
６２  スライドカバー
６２１  ラッチフック
７  バッテリパック
７１  バッテリ
７２  筐体
７２１  側壁上面
８  嵌合コネクタ
Ｃ  屈曲
【発明を実施するための形態】
【００４３】
本開示を詳述する前に、以下の説明では、類似の構成要素は同一の参照番号で表されることに留意されたい。
【００４４】
図１を参照すると、本開示のバッテリ接続モジュールの第１実施形態は、バッテリパック７を接続するのに適し、バッテリパック７は、複数のバッテリ７１と、複数のバッテリ７１を収容する筐体７２と、を備え、バッテリ接続モジュールは、載置トレイ１と、複数の母線２と、回路ユニット３と、上カバー６と、を備える。載置トレイ１は、バッテリパック７上に設けられるのに適し、絶縁材で作製される。第１実施形態では、載置トレイ１は、２つの対向する側に位置付けられる第１縁部１１１及び第２縁部１１２と、第１縁部１１１及び第２縁部１１２の２つの端部をそれぞれ接続する２つの端縁部１１３と、を有し、載置トレイ１は、２つの端縁部１１３のうちの１つに接続される座体１２を更に有する。複数の母線２は載置トレイ１上に設けられ、バッテリパック７のバッテリ７１を電気的に接続するのに適している。
【００４５】
図２〜図６を参照すると、回路ユニット３は、フレキシブル回路片４と、コネクタ５と、を備える。フレキシブル回路片４は、機械的かつ電気的に各母線２に接続されており、本体４１と、本体４１から一体的に延出する取付バー４２と、を有する。この実施形態では、フレキシブル回路片４は、複数の導電板４３によって本体４１からの各母線２に（溶接などによって）機械的かつ電気的に接続されており、各導電板４３の一端は母線２と接続されており、各導電板４３の他端は本体４１内の導電線と接続されている。フレキシブル回路片４は、ＦＦＣ（フレキシブルフラットケーブル）及びＦＰＣ（フレキシブル回路基板）などであってよい。本体４１内の各導電線は集積され、取付バー４２へと延在し、加えて、母線２を接続する導電線、温度センサを接続する線、又は他の構成要素を接続する導電線が含まれてよい。取付バー４２は、載置トレイ１の端縁部１１３の一方に対応する位置において本体４１から屈曲し、下方に延出する接続部４２１と、接続部４２１から延出する少なくとも１つの屈曲部４２２と、を有し、屈曲部４２２の遠位端は、コネクタ５が設けられるコネクタ取付部４２３からなる。第１実施形態では、取付バー４２は、第１縁部１１１及び第２縁部１１２にそれぞれ対応する、接続部４２１の両側からそれぞれ延出する２つの屈曲部４２２を有する。コネクタ５は、絶縁ハウジング５１と、絶縁ハウジング５１に設けられた複数の端子５２と、を備え、複数の端子５２のそれぞれは、屈曲部４２２の遠位端においてコネクタ取付部４２３に固定され、各導電線と電気的に接続されるテール部５２１を有する。ある実施形態では、複数の端子５２のテール部５２１のそれぞれは、取付バー４２の遠位端においてコネクタ取付部４２３を貫通し、そこに固定され、次いで複数の端子５２を取付バー４２の導電線と電気的に接続させるように構成されている貫通構成を有してよく、他の実施形態では、複数の端子５２のテール部５２１のそれぞれがコネクタ取付部４２３及び導電線と接続される構成は、他の等価な構成に変更されてよい。第１実施形態では、取付バー４２は２つの屈曲部４２２する。したがって、２つの屈曲部４２２の遠位端にあるコネクタ取付部４２３のそれぞれは端子５２の列を備え、２つの屈曲部４２２は屈曲して、２つのコネクタ取付部４２３を横並びに配置し、端子５２を２列で横並びに配置し、次いで、端子５２は絶縁ハウジング５１に組み込まれる。具体的には、第１実施形態では、絶縁ハウジング５１は、嵌合コネクタ（図示なし）と嵌合するのに適している嵌合端５１１ａと、嵌合端５１１ａと反対側の後端５１１ｂと、下面５１２と、を有する。複数の端子５２のそれぞれは接触部５２２を更に有し、複数の端子５２は、後端５１１ｂから絶縁ハウジング５１に組み込まれて、取付バー４２のコネクタ取付部４２３が絶縁ハウジング５１の後端５１１ｂに接続され得るようにする。つまり、コネクタ５はコネクタ取付部４２３に設けられる。図及び説明を明確にするために、本明細書では、２つの屈曲部４２２をそれぞれ屈曲部４２２ａ、４２２ｂとして表す。図３及び図４に示すように、２つの屈曲部４２２ａ、４２２ｂは、載置トレイ１に対して接続部４２１の外側において、第１縁部１１１に近接する屈曲部４２２ａが合計２回方向転換して（つまり、最初に第２縁部１１２の側に向かって方向転換し、次いで第１縁部１１１の側に向かって方向転換する）２つの屈曲Ｃを形成でき、第２縁部１１２に近接する屈曲部４２２ｂが第１縁部１１１の側に向かって１回方向転換して、１つの屈曲Ｃを形成でき、載置トレイ１に対して屈曲部４２２ａの外側に屈曲部４２２ｂを位置付けることができるように機能し、それにより２つのコネクタ取付部４２３が、第１縁部１１１の側に向かって延在できる、つまり２つの屈曲部４２２ａ、４２２ｂの遠位端が共に第１縁部１１１の側に面することができて、コネクタ５は、（図４に示すように）嵌合端５１１ａが第１縁部１１１の側に面する第１位置に位置付けられる。図５及び図６を参照すると、あるいは、２つの屈曲部４２２ａ、４２２ｂは、第１縁部１１１に近接する屈曲部４２２ａが、第２縁部１１２の側に向かって１回方向転換して１つの屈曲Ｃを形成でき、載置トレイ１に対して屈曲部４２２ｂの外側に屈曲部４２２ａを位置付けることができ、第２縁部１１２に近接する屈曲部４２２ｂが合計２回方向転換して（最初に第１縁部１１１の側に向かって方向転換し、次いで第２縁部１１２の側に向かって方向転換する）２つの屈曲部Ｃを形成できるように機能し、それによりコネクタ取付部４２３が第２縁部１１２の側に向かって延在する、つまり、２つの屈曲部４２２ａ、４２２ｂの遠位端が共に第２縁部１１２の側に面することができるようにして、コネクタ５は、（図６に示すように）嵌合端５１１ａが第２縁部１１２の側に面する第２位置に位置付けられる。第１実施形態では、載置トレイ１の座体１２は、コネクタ５を第１位置に位置付けることができるように第１縁部１１１の側を向いた第１側方開口部１２１と、コネクタ５を第２位置に位置付けることができるように第２縁部１１２を向いた第２側方開口部１２２と、を有する。このようにして、コネクタ５は、使用要件に従って第１位置又は第２位置に位置付けられる方法で設けられるように選択され得る。コネクタ５が第１位置に位置付けられる場合、第１縁部１１１の側に近接する嵌合コネクタが便利に嵌合され得、コネクタ５が第２位置に位置付けられる場合、第２縁部１１２の側に近接する嵌合コネクタが便利に嵌合され得る。つまり、コネクタ５は、デバイス（自動車など）に取り付けられるバッテリパック７の位置並びにバッテリパック７及び嵌合コネクタが接続される機器（バッテリ管理システムなど）の調整の柔軟性を有する相対位置に従って、第１位置又は第２位置に設けられ得る。
【００４６】
図７及び図８を参照すると、第１実施形態では、コネクタ５の絶縁ハウジング５１は第１ラッチ構造５１３を更に備え、第１ラッチ構造５１３は、絶縁ハウジング５１の下面５１２に形成される。座体１２は、載置トレイ１の端縁部１１３から下方に延出する接続壁１２３と、接続壁１２３から離間し、それに面する位置制限壁１２４と、接続壁１２３の下縁部と位置制限壁１２４の下縁部との間に接続された底壁１２５と、底壁１２５に形成され、第１ラッチ構造５１３と掛止し、それで固定するための、接続壁１２３と位置制限壁１２４との間に位置付けられる第２ラッチ構造１２６と、を更に有する。第２ラッチ構造１２６は、互いから離間した２つの突出レール１２６ａによって形成され、２つの突出レール１２６ａのそれぞれは、載置トレイ１の端縁部１１３と平行に延在するリブ部１２６１と、他方の突出レール１２６ａから離れる方向に向かってリブ部１２６１から延出し、底壁１２５から離間した上止め部１２６２と、他方の突出レール１２６ａに向かってリブ部１２６１から延出するラッチブロック１２６３と、を有し、２つの突出レール１２６ａのラッチブロック１２６３の一方は第１縁部１１１に近接して、コネクタ５が第１位置に位置付けられるときにコネクタ５が掛止でき、２つの突出レール１２６ａのラッチブロック１２６３の他方は第２縁部１１２に近接して、コネクタ５が第２位置に位置付けられるときにコネクタ５が掛止できる。第１ラッチ構造５１３は、互いから平行に離間した２つのスライドレール５１３ａ及び２つのスライドレール５１３ａの間に位置付けられたフック部５１３ｂによって形成されて、ラッチブロック１２６３のうちの一方と協調して掛止し、２つのスライドレール５１３ａの対向する側のそれぞれには、一端に近接した位置制限溝５１３ｃが形成されて、対応する突出レール１２６ａの上止め部１２６２を協調して収容する。コネクタ５が第１位置に設けられる場合、コネクタ５の絶縁ハウジング５１は、第１側方開口部１２１から座体１２に入れられてよく、２つのスライドレール５１３ａの位置制限溝５１３ｃの開放端は、２つの突出レール１２６ａの上止め部１２６２によってそれぞれ対応して挿入され、フック部５１３ｂは、フック部５１３ｂがフック部５１３ｂの側に対応して位置付けられたラッチブロック１２６３を通り越すまで、２つのリブ部１２６１の間を対応して滑動し、フック部５１３ｂは、図７に示す方向に対して左側に向かって突出し、図８の方向に対応して、コネクタ５が第１側方開口部１２１から挿入されるとき、第１側方開口部１２１を第２側方開口部１２２に対して前側とすると、フック部５１３ｂは、左側のラッチブロック１２６３（すなわち、接続壁１２３に隣接する突出レール１２６ａ上に位置付けられたラッチブロック１２６３）を対応して通り越し、次いでラッチブロック１２６３の後側と掛止し、同時に２つのスライドレール５１３ａの位置制限溝５１３ｃの閉鎖端は、２つの上止め部１２６２の前端部にそれぞれ当接して前後方向のコネクタ５の位置を制限し、２つのスライドレール５１３ａ及び２つの突出レール１２６ａは互いに挿入されて上下方向及び左右方向のコネクタ５の位置を制限し、したがってコネクタ５は座体１２上でしっかり固定され得る。同様に、コネクタ５が第２位置に設けられるとき、コネクタ５の固定部５１２は、第２側方開口部１２２から座体１２へと入れられてよく、コネクタ５は同様の方法で固定され得る。
【００４７】
図９及び図１０を参照すると、上カバー６は、載置トレイ１を被覆するメインカバー６１と、メインカバー６１に接続され、座体１２を被覆するサイドカバー６２と、を有し、サイドカバー６２は少なくとも１つのラッチフック６２１を有し、座体１２の位置制限壁１２４には少なくとも１つのラッチ孔１２４ａが形成されて、少なくとも１つのラッチフック６２１がそれと掛止できる。第１実施形態では、サイドカバー６２は２つのラッチフック６２１を有し、座体１２の位置制限壁１２４には２つのラッチ孔１２４ａが形成されて、それぞれラッチフック６２１が掛止できるようにして、サイドカバー６２は座体１２を被覆し、それに固定される。取付バー４２及び取付バー４２とコネクタ５との接続は、座体１２を被覆するサイドカバー６２によって保護され得る。
【００４８】
図１１〜図１３を参照すると、本開示のバッテリ接続モジュールの第２実施形態は、載置トレイ１が座体１２を備えず、第２ラッチ構造１２６がバッテリパック７の筐体７２（図１を参照）の側壁上面７２１に形成されて、コネクタ５の第１ラッチ構造５１３（図７を参照）と掛止し、これで固定する点で第１実施形態と異なる。第２実施形態での第２ラッチ構造１２６の全体構造及び第１ラッチ構造５１３との相互作用は、第１実施形態でのそれらと同一であり、本明細書では説明を繰り返さない。加えて、第２実施形態では、上カバー６のサイドカバー６２は、コネクタ５の後端５１１ｂに接続された取付バー４２を少なくとも被覆し、同様に、取付バー４２及び取付バー４２とコネクタ５との接続も保護され得る。
【００４９】
図１４〜図１６を参照すると、本開示のバッテリ接続モジュールの第３実施形態は、取付バー４２が１つの屈曲部４２２を有し、屈曲部４２２が接続部４２１の下端から延出し、コネクタ取付部４２３が、屈曲部４２２の遠位端にある第１取付部４２３ａ、第１取付部４２３ａと横並びに配置された第２取付部４２３ｂ、及び第１取付部４２３ａと第２取付部４２３ｂとの間に屈曲して接続された接続部４２３ｃによって形成される点で第１実施形態と異なる（組み付け前のコネクタ取付部４２３の展開状態は図２７を参照されたい）。２列の端子５２のテール部５２１は、第１取付部４２３ａ及び第２取付部４２３ｂにそれぞれ設けられ、第３実施形態では、複数の端子５２のテール部５２１はインサート成形によって絶縁体５４に形成され、次いで絶縁ハウジング５１に組み付けられる。この組み付け方法は、上記又は下記の他の実施形態にも適合され得る。屈曲部４２２は、第１縁部１１１の側に向かって１回方向転換し、４５度の角度で屈曲して１つの屈曲Ｃを形成するように機能して、コネクタ５の嵌合端５１１ａが第１縁部１１１の側に面し、（図１５に示すように）コネクタ５は第１位置に位置付けられ、あるいは、屈曲部４２２は、第２縁部１１２の側に向かって１回方向転換し、４５度の角度で屈曲して１つの屈曲Ｃを形成するように機能して、コネクタ５の嵌合端５１１ａが第２縁部１１２の側に面し、（図１６に示すように）コネクタ５は第２位置に位置付けられる。第３実施形態では、コネクタ５の絶縁ハウジング５１は、コネクタ５が第１位置又は第２位置に位置付けられるべきかを決定した後に端子５２に組み付けられ得、コネクタ５の第１ラッチ構造５１３（図７を参照）は下方に設けられる。
【００５０】
図１７〜図１９を参照すると、本開示のバッテリ接続モジュールの第４実施形態は、取付バー４２のコネクタ取付部４２３が屈曲部４２２の下端から一体的に延出し、コネクタ５が、端子５２のテール部５２１を直接溶接することによって（図は、貫通孔溶接を示すが、面溶接も使用できる）コネクタ取付部４２３に設けられて、導電線と接続する点で第３実施形態と異なる。コネクタ５の嵌合端５１１ａは嵌合コネクタ８と嵌合でき、嵌合コネクタ８は、例えば、ケーブルコネクタであってよい。
【００５１】
図２０〜図２２を参照すると、本開示のバッテリ接続モジュールの第５実施形態は、屈曲部４２２が、第１縁部１１１に対応する接続部４２１の側から側方に延出し、屈曲部４２２が最初に第２縁部１１２の側に向かって、次いで第１縁部１１１の側に向かって２回方向転換して２つの屈曲Ｃを形成するように機能して、（図２１に示すように）コネクタ５を第１位置に位置付けることができ、あるいは、屈曲部４２２が、第２縁部１１２の側に向かって１回方向転換して１つの屈曲Ｃを形成するように機能して、（図２２に示すように）コネクタ５を第２位置に位置付けることができる点で第３実施形態と異なる。
【００５２】
図２３〜図２５を参照すると、本開示のバッテリ接続モジュールの第６実施形態は、屈曲部４２２の遠位端が層状であって、互いに横並びに配置される２つのコネクタ取付部４２３を形成する点で第５実施形態と異なる。屈曲部４２２は、最初に端縁部１１３から離れる方向に向かって、次いで第１縁部１１１の側に向かって２回方向転換して２つの屈曲を形成するように機能して、（図２４に示すように）コネクタ５を第１位置に位置付けることができる、あるいは、屈曲部４２２は、合計２回方向転換して（つまり、最初に端縁部１１３から離れる方向に方向転換し、次いで第２縁部１１２の側に向かって方向転換して、２つの屈曲Ｃを形成するように機能して、（図２５に示すように）コネクタ５を第２位置に位置付けることができる。
【００５３】
図２６〜図２９を参照すると、本開示のバッテリ接続モジュールの第７実施形態は、屈曲部４２２が、第２縁部１１２に対応する接続部４２１の側から側方に延出し、屈曲部４２２が、第１縁部１１１の側に向かって１回方向転換して１つの屈曲Ｃを形成するように機能して、（図２９に示すように）コネクタ５を第１位置に位置付けることができる、あるいは、屈曲部４２２が方向転換しないで屈曲Ｃを全く形成せず、したがって（図２８に示すように）コネクタ５を第２位置に位置付けることができる点で第５実施形態と異なる。具体的には、第７実施形態では、接続部４２１は基底部４２１ａと、第１縁部１１１の側に近接する基底部４２１の下端から延出する延出部４２１ｂと、を有し、屈曲部４２２は、第２縁部１１２に対応する延出部４２１ｂの側から側方に延出し、間隙によって基底部４２１ａから離間する。第７実施形態では、取付バー４２のコネクタ取付部４２３も第１取付部４２３ａ、第２取付部４２３ｂ、及び接続部４２３ｃによって形成され、その展開状態は図２７に示され、接続部４２３ｃは、端子５２の取り付け後に第１取付部４２３ａ及び第２取付部４２３ｂを横並びに配置するように屈曲する。更に、図２９に示すように、第７実施形態では、屈曲部４２２は第１縁部１１１の側に向かって１回方向転換し、載置トレイ１に対して接続部４２１の外側を通るように機能して、コネクタ５を第１位置に位置付けることができる。
【００５４】
図３０〜図３２を参照すると、本開示のバッテリ接続モジュールの第８実施形態は、コネクタ５が、絶縁ハウジング５１を外装する外側ケーシング５３を更に備え、屈曲部４２２が、第１縁部１１１の側に向かって１回方向転換し、載置トレイ１に対して接続部４２１の内側を通るように機能して、（図３２に示すように）コネクタ５を第１位置に位置付けることができる点で第７実施形態と異なる。第８実施形態では、取付バー４２のコネクタ取付部４２３及び端子５２の構造は、第７実施形態のそれらと同一であるが、図３０〜図３２では示さずに、概略的に示す。
【００５５】
図３３〜図３４を参照すると、本開示の接続モジュールバッテリの第９実施形態は、取付バー４２の接続部４２１が切欠部４２１ｃを有し、取付バー４２の２つの屈曲部４２２が、第１縁部１１１及び第２縁部１１２にそれぞれ対応する接続部４２１の両側から載置トレイ１に対して接続部４２１の内側に向かってそれぞれ屈曲し、次いで互いに面して延在し、次いで載置トレイ１に対して接続部４２１の外側に向かって屈曲し、結合して切欠部４２１ｃを通り抜け、次いで結合領域の遠位端において分離して２つのコネクタ取付部４２３を形成する点で第１実施形態と異なる。２つの屈曲部４２２の結合領域は、第１縁部１１１の側に向かって１回方向転換して１つの屈曲Ｃを形成するように機能して、（図３３に示すように）コネクタ５を第１位置に位置付けることができる、あるいは、２つの屈曲部４２２の結合領域は、第２縁部１１２の側に向かって１回方向転換して１つの屈曲Ｃを形成するように機能して、（図３４に示すように）コネクタ５を第２位置に位置付けることができる。また、２つのコネクタ取付部４２３は、互いに横並びでコネクタ５に取り付けられる。
【００５６】
図３５〜図３８を参照すると、本開示のバッテリ接続モジュールの第１０実施形態は、取付バー４２が２つの屈曲部４２２を有し、２つの屈曲部４２２が互いから離間し、第１縁部１１１に対応する接続部４２１の同じ側から延出し、接続部４２１が１つの屈曲を形成して２つの屈曲部４２２が横並びに向かい合い、２つの屈曲部４２２の遠位端がコネクタ取付部４２３からなって端子５２を設け、同様に、端子５２及び絶縁ハウジング５１が係合してコネクタ５からなる点で第１実施形態と異なる。２つの屈曲部４２２のそれぞれは少なくとも２つの屈曲Ｃを形成するように機能して、（図３６に示すように）コネクタ５を第１位置に位置付けることができ、２つの屈曲部４２２のそれぞれは少なくとも１つの屈曲Ｃを形成するように機能して、（図３７に示すように）コネクタ５を第２位置に位置付けることができる。
【００５７】
加えて、図３９及び図４０を参照すると、載置トレイ１は、複数の母線２をそれぞれ収容する複数の取付溝１３を有し、各取付溝１３は、溝底壁１３１及び溝側壁１３２によって画定される。溝底壁１３１は、バッテリ７１（図１を参照）にそれぞれ対応する複数の中空部１３１を備え、溝側壁１３２は、取付溝１３内へと突出する位置合わせキー１４を備え、各母線２は、対応する取付溝１３内の位置合わせキー１４と協調する位置合わせ切欠部２１を有し、したがって、母線２を適切な位置に取り付けることができて、逆取り付けを防止し、フールプルーフを実現する。各溝側壁１３２は、向かい合う第１側壁部１３２ａ及び第２側壁部１３２ｂを有し、位置合わせキー１４は第１側壁部１３２ａに設けられ、第１側壁部１３２ａは、少なくとも１つのラッチフック１５を更に備え、第２側壁部１３２ｂは、第１高さに位置付けられた複数の下止めブロック１６及び第２高さに位置付けられた複数の上止めブロック１７を備える。溝底壁１３１は複数の支持ブロック１８を備え、複数の支持ブロック１８の上端は、複数の下止めブロック１６の上端と同一の高さを有し、複数の下止めブロック１６及び複数の支持ブロック１８は、対応する母線２を協調して支持し、複数の上止めブロック１７及び少なくとも１つのラッチフック１５は、対応する母線２の位置を協調して制限する。母線２の片側は、複数の上止めブロック１７と複数の下止めブロック１６との間に位置付けられ、第２高さと第１高さとの高低差は、対応する母線２の厚さよりも大きい。したがって、母線２は、複数の上止めブロック１７と複数の下止めブロック１６との間で浮遊して、バッテリ７１の電極との溶接を容易にすることができる。つまり、複数の母線２は、最初に載置トレイ１上で取り付けられ、母線２が組み付けられるとき、まず母線２の位置合わせ切欠部２１が、適所にある位置合わせキー１４に対応することが確認され、次いで、第２側壁部１３２ｂに隣接する母線２の側が、複数の上止めブロック１７と複数の下止めブロック１６との間に斜めに挿入され、次いで、第１側壁部１３２ａに隣接する母線２の側が下方に押圧されてラッチフック１５のフック部を通り越し、したがって母線２の位置が取付溝１３内で制限される。バッテリ接続モジュールがバッテリパック７に組み付けられるとき（図１を参照）、母線２は取付溝１３内で上下に浮動できるため、母線２及びバッテリ７１の電極は、母線２及びバッテリ７１の電極が容易に溶接されるように、相対位置を容易に調整できる。上記の載置トレイ１及び母線２の取り付け構造は、本開示の他の実施形態にも適合される。
【００５８】
図４１〜図４４を参照すると、本開示のバッテリ接続モジュールの第１１実施形態は、取付バー４２が２つの屈曲部４２２、４２２’を有し、接続部４２１が延在方向に沿って２つの部分に分割され、２つの屈曲部４２２、４２２’が、接続部４２１の２つの部分の遠位端からそれぞれ延出し、第１縁部１１１に近接する２つの屈曲部４２２、４２２’の一方が第１屈曲部４２２と定義され、第２縁部１１２に近接する２つの屈曲部４２２、４２２’の他方が第２屈曲部４２２’と定義される点で第１実施形態と異なる。２つの屈曲部４２２、４２２’の遠位端はコネクタ取付部４２３からなって端子５２を設ける、同様に、端子５２及び絶縁ハウジング５１は互いに係合して、コネクタ５からなる。第１屈曲部４２２は少なくとも１つの屈曲Ｃを形成するように機能し、第２屈曲部４２２’は少なくとも１つの屈曲Ｃを形成するように機能して（図４２を参照）、コネクタ５を第１位置に位置付けることができ、この実施形態では、第１屈曲部４２２は、具体的には３つの屈曲を形成して長さを短縮し、第１屈曲部４２２は少なくとも１つの屈曲Ｃを形成するように機能し、第２屈曲部４２２’は少なくとも１つの屈曲Ｃを形成するように機能して（図４３を参照）、コネクタ５を第２位置に位置付けることができる。
【００５９】
要するに、フレキシブル回路片４の取付バー４２は、屈曲するように機能して、操作者が、コネクタ５を第１位置に位置付けるか、第１位置と反対側の第２位置に位置付けるかを柔軟に選択して使用条件を満たすことができる屈曲部４２２を有するため、異なる位置にあるコネクタ５用の金型を別個に製造する費用及び製品を保管する費用を節約することができる。更に、コネクタ５は、第１ラッチ構造５１３及び第２ラッチ構造１２６が互いに掛止されることによって載置トレイ１の一端に固定され得、したがって、バッテリ接続モジュール全体の構成はより小型であり、その統合性はより良好であり、嵌合コネクタのコネクタ５との嵌合を促進し、コネクタ５の挿入時又は引き出し時にフレキシブル回路片４が引き出されるため、フレキシブル回路片４への損傷を回避できる。更に、上カバー６のサイドカバー６２が取付バー４２及び取付バー４２とコネクタ５との接続を少なくとも被覆することによって、取付バー４２及び取付バー４２とコネクタ５との接続が損傷から保護され得る。
【００６０】
しかしながら、上記の説明は本開示の実施形態についてのみであり、本開示の範囲はこれに限定されるものではなく、本特許出願の範囲及び本開示の特許明細書による単純な、等価の変更又は修正は、それでも本開示の本発明の範囲内である。
【図１】
2019050200.tif 000003
【図２】
2019050200.tif 000004
【図３】
2019050200.tif 000005
【図４】
2019050200.tif 000006
【図５】
2019050200.tif 000007
【図６】
2019050200.tif 000008
【図７】
2019050200.tif 000009
【図８】
2019050200.tif 000010
【図９】
2019050200.tif 000011
【図１０】
2019050200.tif 000012
【図１１】
2019050200.tif 000013
【図１２】
2019050200.tif 000014
【図１３】
2019050200.tif 000015
【図１４】
2019050200.tif 000016
【図１５】
2019050200.tif 000017
【図１６】
2019050200.tif 000018
【図１７】
2019050200.tif 000019
【図１８】
2019050200.tif 000020
【図１９】
2019050200.tif 000021
【図２０】
2019050200.tif 000022
【図２１】
2019050200.tif 000023
【図２２】
2019050200.tif 000024
【図２３】
2019050200.tif 000025
【図２４】
2019050200.tif 000026
【図２５】
2019050200.tif 000027
【図２６】
2019050200.tif 000028
【図２７】
2019050200.tif 000029
【図２８】
2019050200.tif 000030
【図２９】
2019050200.tif 000031
【図３０】
2019050200.tif 000032
【図３１】
2019050200.tif 000033
【図３２】
2019050200.tif 000034
【図３３】
2019050200.tif 000035
【図３４】
2019050200.tif 000036
【図３５】
2019050200.tif 000037
【図３６】
2019050200.tif 000038
【図３７】
2019050200.tif 000039
【図３８】
2019050200.tif 000040
【図３９】
2019050200.tif 000041
【図４０】
2019050200.tif 000042
【図４１】
2019050200.tif 000043
【図４２】
2019050200.tif 000044
【図４３】
2019050200.tif 000045
【図４４】
2019050200.tif 000046